(57)【特許請求の範囲】
【請求項１】
熱可塑性樹脂によって基台部を作製する基台部製造工程、熱可塑性エラストマーによって中心柱を作製する中心柱製造工程、熱可塑性樹脂によって中空の補強部を作製する補強部製造工程、および中心柱と補強部とを基台部に立設する組立工程を有し、補強部を基台部と同じ熱可塑性樹脂で構成あるいは中心柱と同じ熱可塑性エラストマーを併用するとともに、
該組立工程において、（１）基台部に蓄電部材を収容し固定する工程、（２）補強部の外周上部に複数の発光体および少なくとも１つの太陽電池を配設し固定する工程、および（３）補強部の中空部に中心柱を挿入し、中心柱と補強部との間にシール性が得られるように補強部の上部内面において中心柱の下部外周と嵌合させ、補強部の下部内面において基台部の下部外周と嵌合させて、基台部とともに中心柱を挟持固定する工程、を有することを特徴とする自発光式道路標識柱の製造方法。
【請求項２】
請求項１記載の自発光式道路標識柱の製造方法によって作製された自発光式道路標識柱であって、
蓄電部材が収容された熱可塑性樹脂からなる基台部と、基台部に立設された熱可塑性エラストマーからなる中心柱と、外周上部に複数の発光体と少なくとも１つの太陽電池が配設された熱可塑性樹脂からなる中空の補強部とからなり、
補強部を基台部と同じ熱可塑性樹脂で構成あるいは中心柱と同じ熱可塑性エラストマーを併用するとともに、中心柱と補強部との間にシール性が得られるように補強部の上部内面において中心柱の下部外周と嵌合し、かつ補強部の下部内面において基台部の下部外周と嵌合して、基台部とともに中心柱を挟持固定することを特徴とする自発光式道路標識柱。
【請求項３】
前記発光体が、その点灯部の表面が補強部外周面を超えない埋め込み状態で取り付けられるとともに、発光体の封止用樹脂が、エポキシ樹脂であることを特徴とする請求項２記載の自発光式道路標識柱。
【請求項４】
前記中心柱の下部外周面の周方向に凸条を有し、前記補強部は、凸条により前記基台部に装着固定されていることを特徴とする請求項２または３記載の自発光式道路標識柱。
【発明の詳細な説明】
【技術分野】
【０００１】
本発明は、道路や駐車場の路面に設置される、夜間自発光タイプの可撓性のある道路標識柱（視線標識柱）並びにその製造方法に関する。
【背景技術】
【０００２】
道路や駐車場の路面には、特に夜間にセンターライン、路肩、進路、カーブの存在などを示すものとして道路標識柱（視線標識柱）が設置される。かかる道路標識柱として、人が目視にて認識するための中空の中心柱とこれを路面に固定するための基台部とが固定され、かつ中空内部に光源を設けて夜間、該光源を点灯させて中心柱を内部照明することにより視認し易くした技術が知られている（例えば特許文献１〜３参照）。
【０００３】
特許文献１に記載の道路標識柱は、車両の踏みつけにより生じる変形に対して自己復元性に優れ、視認性を高めるために装着された光源も衝撃や荷重から保護されることを目的とし、中心柱を中空ゴム状弾性体にて形成すると共に光源である照射光ランプを基台部に埋め込んだ構成を有する。ここで、基台部は、台座と、該台座に嵌着する押さえリングとから構成されている。基台部構成材料としては、熱可塑性ポリウレタンエラストマー、注型タイプ（反応硬化性）ポリウレタンが好適なものとして例示されている。
【０００４】
特許文献２には、道路標識柱本体に該本体を横断する貫通穴を設け、その貫通穴に発光体取付部材を嵌着するとともに、その発光体取付部材に発光体を取付けることにより弾性体よりなる柱本体に発光体を確りと取付けることを可能とし、貫通穴中に配設した発光体から高輝度の光を直接出射させる構成が開示されている。これによって、高い視認性を図っている。
【０００５】
特許文献３には、太陽電池、太陽電池の電力を蓄電する蓄電池、蓄電池に蓄電された電力によって発光する発光体、発光などを制御する回路を含む自照装置を組み込まれ、発光体からの光を、光ファイバによってポールの周面に導く構成の道路標識柱が開示されている。太陽電池、蓄電池および制御回路はベースの内部に組み込まれ、さらに、太陽電池は受光面の一端をポール表面に位置させた光ファイバの他端に接続されている。
【０００６】
【特許文献１】特開平８−２３９８１２号公報
【特許文献２】特開２０００−２９７４１２号公報
【特許文献３】特開平１０−３０２１５号公報
【発明の開示】
【発明が解決しようとする課題】
【０００７】
上記の公知の道路標識柱は、いずれも夜間、該光源を点灯させて中心柱を内部照明することにより視認し易く形成されている。
【０００８】
しかし、特許文献１に記載の道路標識柱は、走行車両の踏みつけにより与えられる変形を回復して形状を自己復元可能とすると同時に衝突による破損を防止するために、中空ゴム状弾性体にて中心柱が形成され、基台部はソリッドゴムないし樹脂にて形成されているものの、この構造を基に、光センサー、コンデンサー、これらを制御するための回路基板等の電気部材を単に台座に形成された凹部に収容した道路標識柱は、これを試験的に製作して設置し、設置基準とされている乗用車の通過試験を行い、十分な耐久性を有することを確認した上で実際に路面に設置して使用すると、照明が点灯しなくなるという不具合が発生した。また冷熱サイクル試験を行った場合にも照明が点灯しなくなるという不具合が発生した。
【０００９】
特許文献２に記載された道路標識柱については、走行車両の踏みつけにより与えられる変形を回復して形状を自己復元可能とする機能はなく、また、発光ダイオード（ＬＥＤ）など破損時の部品交換は容易であるものの、衝突による破損そのものを防止する機能はなく、また、構造的に強度を増して破損を減少させることも難しい。
【００１０】
特許文献３については、走行車両の踏みつけにより与えられる変形を回復して形状を自己復元可能とする機能を有し、太陽電池、蓄電池、発光ダイオードおよび制御回路は基板に組み込まれ、シリコン樹脂などからなる格納体に封入され、ベースの内部に形成された室に収納されている。従って、生産効率が悪く、製造に時間が係るとともにコスト的にも高くつくものであった。
【００１１】
さらに、従前の中心柱や基台部などの接合や固定においては、樹脂を注入して作製する注型方式が採用されていたが、上面や下面など種々の方向からの作業が必要となるなど作業性の悪さや硬化時間等、生産性が低いことから改善の要請が強かった。また、注型方式によって作製された道路標識柱は、使用後廃棄処理する場合、分別できず埋め立て処理しなければならない点においても課題があった。
【００１２】
本発明の目的は、路面に設置使用した場合に走行車両の踏みつけにより与えられる変形を回復して形状を自己復元可能とする機能を有するとともに、発光体、太陽電池や蓄電部材などの損傷がなく、かつ生産効率のよい自発光式道路標識柱およびその製造方法を提供することにある。また、使用後に廃棄する場合、構成する各部を個別に分解分別処理ができる自発光式道路標識柱およびその製造方法を提供することにある。
【課題を解決するための手段】
【００１３】
本発明者らは、鋭意研究を重ねた結果、以下に示す自発光式道路標識柱およびその製造方法によって上記目的を達成できることを見出し、本発明を完成するに到った。
本発明は、自発光式道路標識柱の製造方法であって、熱可塑性樹脂によって基台部を作製する基台部製造工程、熱可塑性エラストマーによって中心柱を作製する中心柱製造工程、熱可塑性樹脂によって中空の補強部を作製する補強部製造工程、および中心柱と補強部とを基台部に立設する組立工程を有し、補強部を基台部と同じ熱可塑性樹脂で構成あるいは中心柱と同じ熱可塑性エラストマーを併用するとともに、該組立工程において、（１）基台部に蓄電部材を収容し固定する工程、（２）補強部の外周上部に複数の発光体および少なくとも１つの太陽電池を配設し固定する工程、および（３）補強部の中空部に中心柱を挿入し、中心柱と補強部との間にシール性が得られるように補強部の上部内面において中心柱の下部外周と嵌合させ、補強部の下部内面において基台部の下部外周と嵌合させて、基台部とともに中心柱を挟持固定する工程、を有することを特徴とする。
こうした道路標識柱の製造方法は、従前のような基台部を反応硬化性樹脂原料の注型により成形するものではなく、熱可塑性樹脂にて成形したものであり、成形後の部材を組み付けるだけで製造することができるので、短時間で効率的、低コストにて製造することが可能となる。また、自己復元機能を有し、部材の損傷が少なく視認性が高い優れた外照タイプの自発光式道路標識柱の製造方法を提供することが可能となる。また、補強部の上部内面において中心柱の下部外周と嵌合し、かつ補強部の下部内面において基台部の下部外周と嵌合して、基台部とともに中心柱をしっかりと挟持固定することができる。さらに、中心柱と補強部との間には、雨水やゴミが入り難いシール性が得られる。このとき、補強部を基台部と同じ熱可塑性樹脂で構成あるいは中心柱と同じ熱可塑性エラストマーを併用することが好ましい。
【００１４】
また、本発明は、上記自発光式道路標識柱の製造方法によって作製された自発光式道路標識柱であって、蓄電部材が収容された熱可塑性樹脂からなる基台部と、基台部に立設された熱可塑性エラストマーからなる中心柱と、外周上部に複数の発光体と少なくとも１つの太陽電池が配設された熱可塑性樹脂からなる中空の補強部とからなり、
補強部を基台部と同じ熱可塑性樹脂で構成あるいは中心柱と同じ熱可塑性エラストマーを併用するとともに、中心柱と補強部との間にシール性が得られるように補強部の上部内面において中心柱の下部外周と嵌合し、かつ補強部の下部内面において基台部の下部外周と嵌合して、基台部とともに中心柱を挟持固定することを特徴とする。
【００１５】
こうした道路標識柱は、中心柱の材質が有する可撓性などの特性および基台部と補強部が有する強度や弾性などの特性によって、走行車両の踏みつけにより与えられる変形を回復して形状を自己復元可能とする機能や耐破損性を有するとともに、補強部の外周上部に配設された発光体によって優れた視認性を確保することができる。また、中心柱、基台部および補強部から構成される組み込み式の道路標識柱とすることによって、使用後に廃棄する場合、構成する各部を個別に分解分別処理ができる。さらに、発光体、蓄電部材および太陽電池を配設することによって、自立的に発光機能を有する道路標識柱を形成することができる。従って、自己復元機能を有し、視認性が高くかつ生産効率のよい優れた外照タイプの自発光式道路標識柱を提供することが可能となる。また、補強部の上部内面において中心柱の下部外周と嵌合し、かつ補強部の下部内面において基台部の下部外周と嵌合して、基台部とともに中心柱をしっかりと挟持固定することができる。さらに、中心柱と補強部との間には、雨水やゴミが入り難いシール性が得られる。このとき、補強部を基台部と同じ熱可塑性樹脂で構成あるいは中心柱と同じ熱可塑性エラストマーを併用することが好ましい。
【００１６】
このとき、前記発光体が、その点灯部の表面が補強部外周面を超えない埋め込み状態で取り付けられるとともに、発光体の封止用樹脂が、エポキシ樹脂であることが好ましい。
【００１７】
従前、外照式の道路標識柱においては、上記のように発光体（例えばＬＥＤなど）などの損傷が生じることを前提とし、部剤の交換や保守作業の効率化を重視する提案が多くあった。本発明は、発光体を強度と弾性を有する補強部に埋め込み状態で取り付けて構造的な強化を図るとともに、封止部材として衝撃の強いエポキシ樹脂を用いて、発光体自体の損傷防止を図ることによって、衝撃に強く長期間の使用が可能な視認性の高い外照タイプの自発光式道路標識柱を提供することが可能となった。
【００１８】
本発明は、自発光式道路標識柱であって、上部内面に蓄電部材および複数の発光体が収容された熱可塑性樹脂からなる基台部と、基台部に立設された熱可塑性エラストマーからなる中心柱と、外周上部に少なくとも１つの太陽電池が配設された熱可塑性樹脂からなる中空の補強部とからなり、補強部を基台部と同じ熱可塑性樹脂で構成あるいは中心柱と同じ熱可塑性エラストマーを併用するとともに、中心柱と補強部との間にシール性が得られるように補強部の上部内面において中心柱の下部外周と嵌合し、かつ補強部の下部内面において基台部の下部外周と嵌合して、基台部とともに中心柱を挟持固定することを特徴とする。
【００１９】
こうした道路標識柱は、上記同様、中心柱の材質が有する可撓性などの特性および基台部と補強部が有する強度や弾性などの特性によって、走行車両の踏みつけにより与えられる変形を回復して形状を自己復元可能とする機能や耐破損性を有するとともに、中心柱の内部に配設された蓄電部材および発光体によって優れた視認性を確保することができる。また、中心柱、基台部および補強部から構成される組み込み式の道路標識柱とすることによって、使用後に廃棄する場合、構成する各部を個別に分解分別処理ができる。従って、自己復元機能を有し、視認性が高くかつ生産効率のよい優れた内照タイプの自発光式道路標識柱を提供することが可能となる。また、補強部の上部内面において中心柱の下部外周と嵌合し、かつ補強部の下部内面において基台部の下部外周と嵌合して、基台部とともに中心柱をしっかりと挟持固定することができる。さらに、中心柱と補強部との間には、雨水やゴミが入り難いシール性が得られる。このとき、補強部を基台部と同じ熱可塑性樹脂で構成あるいは中心柱と同じ熱可塑性エラストマーを併用することが好ましい。
【００２０】
上記自発光式道路標識柱にあっては、前記中心柱の下部外周面の周方向に凸条を有し、前記補強部は、凸条により前記基台部に装着固定されていることが好ましい。
【００２１】
こうした構成によって、道路標識柱を踏み付けてトラックなどの重量の大きな車両が乗り越えて通過し、中心柱が基台部近傍で踏みつぶされるような変形を受け、該変形に伴う引き抜き応力を受けた場合でも、中心柱の脱落を防止し、中心柱、基台部および補強部からなる一体としての機能を維持することが可能となる。
【００２２】
また、本発明は、自発光式道路標識柱の製造方法であって、熱可塑性樹脂によって基台部を作製する基台部製造工程、熱可塑性エラストマーによって中心柱を作製する中心柱製造工程、熱可塑性樹脂によって中空の補強部を作製する補強部製造工程、および中心柱と補強部とを基台部に立設する組立工程を有し、補強部を基台部と同じ熱可塑性樹脂で構成あるいは中心柱と同じ熱可塑性エラストマーを併用するとともに、
該組立工程において、（１）基台部に蓄電部材を収容し固定する工程、（２）補強部の外周上部に複数の発光体および少なくとも１つの太陽電池を配設し固定する工程、および（３）補強部の中空部に中心柱を挿入し、中心柱と補強部との間にシール性が得られるように補強部の上部内面において中心柱の下部外周と嵌合させ、補強部の下部内面において基台部の下部外周と嵌合させて、基台部とともに中心柱を挟持固定する工程、を有することを特徴とする。
【００２３】
こうした道路標識柱の製造方法は、従前のような基台部を反応硬化性樹脂原料の注型により成形するものではなく、熱可塑性樹脂にて成形したものであり、成形後の部材を組み付けるだけで製造することができるので、短時間で効率的、低コストにて製造することが可能となる。また、自己復元機能を有し、部材の損傷が少なく視認性が高い優れた外照タイプの自発光式道路標識柱の製造方法を提供することが可能となる。また、補強部の上部内面において中心柱の下部外周と嵌合し、かつ補強部の下部内面において基台部の下部外周と嵌合して、基台部とともに中心柱をしっかりと挟持固定することができる。さらに、中心柱と補強部との間には、雨水やゴミが入り難いシール性が得られる。このとき、補強部を基台部と同じ熱可塑性樹脂で構成あるいは中心柱と同じ熱可塑性エラストマーを併用することが好ましい。
【００２４】
また、本発明は、自発光式道路標識柱の製造方法であって、熱可塑性樹脂によって基台部を作製する基台部製造工程、熱可塑性エラストマーによって中心柱を作製する中心柱製造工程、熱可塑性樹脂によって中空の補強部を作製する補強部製造工程、および中心柱と補強部とを基台部に立設する組立工程を有し、補強部を基台部と同じ熱可塑性樹脂で構成あるいは中心柱と同じ熱可塑性エラストマーを併用するとともに、
該組立工程において、（１）基台部に蓄電部材および複数の発光体を収容し固定する工程、（２）補強部の外周上部に少なくとも１つの太陽電池を配設し固定する工程、および（３）補強部の中空部に中心柱を挿入し、中心柱と補強部との間にシール性が得られるように補強部の上部内面において中心柱の下部外周と嵌合させ、補強部の下部内面において基台部の下部外周と嵌合させて、基台部とともに中心柱を挟持固定する工程、を有することを特徴とする。
【００２５】
こうした道路標識柱の製造方法は、上記同様、熱可塑性樹脂にて成形したものであり、成形後の部材を組み付けるだけで製造することができるので、短時間で効率的、低コストにて製造することが可能となる。また、自己復元機能を有し、部材の損傷が少なく視認性が高い優れた内照タイプの自発光式道路標識柱の製造が可能となる。また、補強部の上部内面において中心柱の下部外周と嵌合し、かつ補強部の下部内面において基台部の下部外周と嵌合して、基台部とともに中心柱をしっかりと挟持固定することができる。さらに、中心柱と補強部との間には、雨水やゴミが入り難いシール性が得られる。このとき、補強部を基台部と同じ熱可塑性樹脂で構成あるいは中心柱と同じ熱可塑性エラストマーを併用することが好ましい。
【発明を実施するための最良の形態】
【００２６】
本発明の実施の形態を図面に基づいて説明する。本発明に係る道路標識柱においては、蓄電部材が収容された熱可塑性樹脂からなる基台部と、基台部に立設された熱可塑性エラストマーからなる中心柱と、少なくとも１つの太陽電池が配設された熱可塑性樹脂からなる中空の補強部とからなり、補強部の上部内面において中心柱の下部外周と嵌合し、かつ補強部の下部内面において基台部の下部外周と嵌合して、基台部とともに中心柱を挟持固定することを特徴とする（基本構成）。
【００２７】
＜本発明に係る外照式道路標識柱の構成例＞
図１は、本発明の道路標識柱の好適な形態として、上記の構成に加え、補強部に複数の発光体を配設した外照式の道路標識柱の構成例（第１構成例）を示した部分断面図である。道路標識柱１０は、中空で頭部が閉鎖された中心柱１２、補強部１３および基台部１４とからなり、中心柱１２の下端部１２ａが補強部１３と基台部１４に挟持されることにより固定されている。つまり、補強部１３の上部内面Ａにおいて中心柱１２の下部外周と嵌合し、かつ補強部１３の下部内面Ｂにおいて基台部１４の下部外周と嵌合して、基台部１４とともに中心柱１２をしっかりと挟持固定することができる。このように、中心柱１２と補強部１３との間には、雨水やゴミが入り難いシール性が得られるように構成することが好ましい。
【００２８】
中心柱１２には、脱落防止のために、その下端部１２ａが中心柱１２の下部外周面の周方向に凸条を有することが好ましい。図１の断面視においては、さらに外側に折れ曲がって下端部１２ａが反転した鉤状に形成されている。中心柱１２の上部から中央部にかけた外面には、反射シート１１が複数本（図１では３本）巻回装着され、道路標識柱１０の夜間の視認性を高めている。中心柱１２の断面形状は特に限定されるものではないが、全方向からの視認性と製造の簡便性より円筒状であることが好ましい。また、中心柱１２は、外径が５〜１５ｃｍ、肉厚が２〜１０ｍｍ、より好ましくは３〜８ｍｍであり、長さは４０ｃｍ以上１．５ｍ以下であることが好ましい。
【００２９】
補強部１３は、上部内面は中心柱１２の外径を有し、下部内面は基台部１４の外径を有するテーパ状の円筒状であり、中心柱１２と補強部１３および補強部１３基台部１４との間には雨水やゴミが入り難いシール性が得られるように構成することが好ましい。補強部１３は、肉厚が２〜１５ｍｍ、より好ましくは３〜１３ｍｍであり、長さは２〜６ｃｍであることが好ましい。
【００３０】
図２は、図１のＸ−Ｘ断面を示した断面図である。補強部１３の中心柱１２の外周上部に８個の発光体（ＬＥＤ）１５が配設され、さらにその外側上面に２個の太陽電池１６が配設された例が示されている。光源であるＬＥＤ１５は、中心柱１２の下部を中心に照明可能に配設することが好ましく、周囲のいろいろな角度から認知できるような数量として例えば６個以上さらには８個以上を配設することが好ましい。中心柱１２の上部から中央部にかけて設けられた再帰反射シート１１とともに作用し、車両のライトの照射方向に拘らず中心柱１２全体を視認することが可能となり、夜間の道路標識柱１０の視認性向上を図る構成となっている。また、ＬＥＤ１５の配設方法は、図１（ａ）に示すように、ＬＥＤ１５の点灯部の表面１５ａが補強部１３の外周面Ｃを超えない埋め込み状態で取り付けられることが好ましい。外周面Ｃによって車両等の直接の衝撃を受けることを回避することができる。同時に、反応硬化性樹脂を用いてＬＥＤ１５の封止をすることが好ましい。特に、後述するように、封止部材として衝撃の強いエポキシ樹脂を用いてＬＥＤ自体の損傷防止を図ることが可能となる。
【００３１】
また、太陽電池１６は、図示のように補強部１３の一部に集中して配設することが好ましい。太陽電池１６を補強部１３に集中して配設した部分が南方向となるように道路標識柱１０を設置することにより、最も効率的に蓄電することができる。
【００３２】
補強部１３には、これ等以外に夜間の点灯を検知する光センサー（図示せず）も設置することが可能である。また、補強部１３の側面にも円板状の反射部材（リフレクター）が周囲に複数個装着することが可能であり、道路標識柱１０の夜間の視認性を高めることができる。なお、光センサーは外部の光を関知する必要があり、中心柱１２の外側の補強部１３の上面に設置されることが好ましいが、基台部１４の下部（接地面側）に配設する場合には、封止用反応硬化性樹脂にて充填封止することが好ましい。
【００３３】
基台部１４の上面側には、凹部１７が形成されており、該凹部１７には太陽電池１６から得られた電気を蓄えるためのコンデンサー１８ａ、制御のための回路基板１８ｂなどの蓄電部材１８が収容され、所定の接続を行った後に封止用反応硬化性樹脂にて充填封止されることが好ましい。蓄電部材１８とＬＥＤ１５および太陽電池１６とは、リード線１９で接続される。その中間にコネクタ２０を用いることによって、設置された状態での保守も可能となる。
【００３４】
ここで、中心柱１２を構成する熱可塑性エラストマー（ＴＰＥ）としては、公知の熱可塑性エラストマーは特に限定なく使用できる。具体的にはポリエステル系ＴＰＥ、ポリウレタン系ＴＰＥ（ＴＰＵ）、ポリオレフィン系ＴＰＥ（ＴＰＯ）、ポリスチレン系ＴＰＥ（ＴＰＳ）、ポリアミド系ＴＰＥ（ＴＰＡＥ）、アイオノマー系ＴＰＥ、ジエン系ＴＰＥ、ポリ塩化ビニル系ＴＰＥ（ＴＰＶＣ）、ポリ塩化ビニル／ポリウレタンポリマーアロイ系ＴＰＥ、熱可塑性樹脂とゴムとの混合物等が例示される。またこれらの熱可塑性エラストマーにゴムを混合ないし微粒子状で分散した熱可塑性エラストマーも使用可能である。これらのＴＰＥは単独で使用可能であり、必要に応じて２種以上を混合使用してもよい。熱可塑性エラストマーは、硬度がＪＩＳ−Ａ硬度にて９０以下であることが好ましく、８５以下であることがより好ましい。硬度が高すぎると繰返しの屈曲により破損する場合が生じる。熱可塑性エラストマーの硬度は、通常ＪＩＳ−Ａ硬度にて５０以上である。上述の熱可塑性エラストマーの中でも、耐久性が優れていることから、ポリウレタン系ＴＰＥの使用が特に好ましい。
【００３５】
補強部１３及び基台部１４を構成する熱可塑性樹脂は、公知の熱可塑性樹脂を限定なく使用可能である。具体的にはＰＥＴ，ＰＢＴ，ポリプロピレンテレフタレート、１，４−シクロヘキサンジメタノールとテレフタル酸のポリエステル等のポリアルキレンテレフタレート樹脂、ポリエチレンナフタレート、ポリプロピレンナフタレート、１，４−シクロヘキサンジメタノールとナフタレンジカルボン酸とのポリエステル等のポリアルキレンナフタレート樹脂、ポリカーボネート樹脂、ポリフェニレンオキサイド、ポリフェニレンサルファイド、ポリウレタン樹脂、ＰＦＡ等のフッ素系樹脂、ＡＢＳ樹脂等並びにこれらの樹脂から選択される樹脂のブレンド樹脂、ポリマーアロイ等が例示される。補強部１３及び基台部１４を構成する熱可塑性樹脂は、同じであっても異なった材料であってもよい。また、補強部１３は、上記熱可塑性エラストマーと併用することも可能である。
【００３６】
また、封止用反応硬化性樹脂として好適なエポキシ樹脂としては、公知のいわゆる弾性エポキシ樹脂を使用することができ、例えば４，４’−イソプロピリデンジフェノールと１−クロロ−２，３−エポキシプロパン重合物をエポキシ化合物成分とし、硬化剤として変性脂肪族ポリアミンを使用した２液タイプのエポキシ樹脂が例示される。市販品の使用も好適であり、例えばソフランボンドＰＭ９００４Ｎなどが例示される。特に、ＬＥＤ組み込み部位については、エポキシ樹脂Ｄ硬度７０と硬く衝撃に耐えるようにすることによって、発光体自体の損傷防止を図り長期間の使用が可能となった。エポキシ樹脂は、単体で使用することが可能であるが、必要に応じて所定の機能を有する試剤を添加することも可能である。例えば、反応硬化性樹脂には、必要に応じて着色剤、充填剤等を添加することは、外観の商品価値の向上、強度や圧縮弾性率等の機械的特性の向上等の観点より、好ましい態様である。特に、上記のエポキシ樹脂、とりわけ封止用硬化性樹脂として使用するエポキシ樹脂には、無機充填剤を添加することが好ましく、無機充填剤の添加により、必要な可撓性を維持しつつ上記範囲の圧縮弾性率有する封止用硬化性樹脂を形成することができる。無機充填剤としては、硬化性組成物の流動性を損なうことなく補強性を有する材料の使用が好ましく、具体的にはシリカ、ケイ砂等が例示される。
【００３７】
＜第１構成例に係る道路標識柱の製造方法＞
本発明の道路標識柱１０は、熱可塑性樹脂によって基台部１４を作製する基台部製造工程、熱可塑性エラストマーによって中心柱１２を作製する中心柱製造工程、熱可塑性樹脂によって中空の補強部１３を作製する補強部製造工程、および中心柱１２と補強部１３とを基台部１４に立設する組立工程を有する製造方法により製造する。各工程の詳細は、以下の通りである。
【００３８】
（１）中心柱の製造工程
中心柱１２は、公知の方法により成形されるが、熱可塑性エラストマーの押出成形により連続チューブ状に押し出した後に所定長さに裁断することによって製造することが好ましい。
【００３９】
（２）基台部の製造工程
基台部１４は、熱可塑性樹脂の射出成形により製造することが好ましい。このとき、蓄電部材１８を収容する凹部１７や固定ボルト３２用のボルト穴３３（後述）あるいは配線溝などは、成形型に所定形状に部材を配設することにより形成することができるが、基台部１４を成形した後に切削機械を使用して切削加工により形成してもよい。
【００４０】
（３）補強部の製造工程
補強部１３は、熱可塑性樹脂の射出成形により製造することが好ましい。このとき、ＬＥＤ１５および太陽電池１６を収容する部分あるいは配線溝などは、成形型に所定形状に部材を配設することにより形成することができるが、補強部１３を成形した後に切削機械を使用して切削加工により形成してもよい。また。組立工程を実施する前に、予め外周面Ｃに複数のＬＥＤ１５および少なくとも１つの太陽電池１６を配設し封止用反応硬化性樹脂（エポキシ樹脂）によって固定した補強部１３を準備することが好ましい。
【００４１】
（４）組立工程
かかる製造法により得られた部材を、以下の組立工程によって組み立てることにより、従前の道路標識柱のように反応硬化性組成物を注型してベースを形成するよりも簡便かつ低コストにて道路標識柱１０を製造することができる。図１〜３を参照し説明する。
（４−１）道路に固定する場合には、基台部１４を道路に固定する。
図３は、上記第１構成例に係る道路標識柱１０を道路に設置した状態を例示した断面図である。道路標識柱１０は、路面に設置したアンカー３１に固定ボルト３２を螺合することにより固定される。つまり、基台部１４を凹部１７の下部に設けられたボルト穴３３を通してアンカー３１に固定ボルト３２を固定する。図３において使用するアンカーは、他の形式の道路標識柱固定用のアンカーと同じものが使用でき、設置工事が統一化、簡素化される。
（４−２）基台部１４の凹部１７に蓄電部材１８を収容する。
このとき、凹部１７に対し嵌合することによって分解可能な固定を行うことができる。振動等の激しい場所においては、封止用反応硬化性樹脂（エポキシ樹脂）によって固定することが好ましい。
（４−３）基台部１４に中心柱１２を挿入する。
このとき、リード線１９およびコネクタ２０を中心柱１２の外部に引き出す。
（４−４）補強部１３を中心柱１２に挿入する。
このとき、ＬＥＤ１５および太陽電池１６用のコネクタ２０を接続する。
（４−５）図１あるいは図３に示すように、補強部１３の上部内面Ａにおいて中心柱１２の下部外周と嵌合させ、補強部１３の下部内面Ｂにおいて基台部１４の下部外周と嵌合させて、基台部１４とともに中心柱１２を挟持固定する。
以上によって、自発光式道路標識柱１０を確実に製造することができる。
【００４２】
次に、本発明の道路標識柱１０が路面に固定された後に、車両に乗り越えられるときの変形状態を示す。図４は、そのときの断面図である。この時、Ｔ部において補強部１４と中心柱１２は引っ張り応力を受けるが、下端部１２ａと補強部１４の作用により中心柱１２の脱落が、効果的に防止される。また、補強部１４の強度および封止用反応硬化性樹脂によって、ＬＥＤ１５や太陽電池１６や蓄電部材１８などの損傷を防止することができる。
【００４３】
＜本発明に係る内照式道路標識柱の構成例＞
次に、本発明の異なる道路標識柱１０の好適な形態として、基本構成に加え、基台部１４の上部内面に複数のＬＥＤ１５を配設した内照式の道路標識柱１０の構成例（第２構成例）を示す。図５（Ａ）は、道路に固定した状態の部分断面図として示す。第１構成例と同様、道路標識柱１０は、中心柱１２、補強部１３および基台部１４とからなり、中心柱１２の下端部１２ａが補強部１３と基台部１４に挟持されることにより固定されている。
【００４４】
図５（Ｂ）は、図５（Ａ）のＸ−Ｘ断面を示した断面図である。基台部１４の凹部１７に収容した蓄電部材１８の回路基板１８ｂ上に６個の発光体（ＬＥＤ）１５が配設された例が示されている。中心柱１２を内面から照射し、夜間の道路標識柱１０の視認性向上を図る構成となっている。ＬＥＤは、基台部１４の凹部１７に配設されることによって、損傷防止を図ることが可能となる。
【００４５】
＜第２構成例に係る道路標識柱の製造方法＞
本発明の道路標識柱１０は、第１構成例と同様の中心柱１２、基台部１４および補強部１３の各製造工程（１）〜（３）によって作製された部材を組み立てて製造される。ただし、複数のＬＥＤ１５を、蓄電部材１８を構成する回路基板１８ｂ上に配設し基台部１４に収容することから、この点において第１構成例と製造工程において相違点を有している。つまり、組立工程を実施する前に、予め回路基板１８ｂ上に複数のＬＥＤ１５を配設した蓄電部材１８を準備することが好ましい。
組立工程については、第１構成例と同様である。ＬＥＤ１５を中心柱１２の内部に収納することから、第１構成例におけるＬＥＤ１５用のコード１９およびコネクタ２０が不要となる。
【００４６】
＜本発明に係る内照式道路標識柱の他の構成例＞
次に、上記内照式の道路標識柱１０について、各部の固定方法を異にした構成例（第３構成例）を示す。図６は、道路に固定した状態の部分断面図として示す。第２構成例と同様、道路標識柱１０は、中心柱１２、補強部１３および基台部１４とからなり、中心柱１２の下端部１２ａが補強部１３と基台部１４に挟持されることにより固定されている。このとき、中心柱１２を基台部１４に対し補強的に固定するように、中心柱１２の端部に係止リブ２１が嵌め込まれている。係止リブ２１の配設によって、中心柱１２の端部と基台部１４との嵌合を確実にすることができるとともに、車両に踏みつけられた後の復元性に優れた道路標識柱１０とすることができる。
【００４７】
係止リブ２１の形状は、特に限定されるものではなく、図６のような挿入式で作業性のよいテーパを有するリング状体や、一端部を開放し固定ナットによって締め付けるタイプなどを使用することができる。
【００４８】
＜第３構成例に係る道路標識柱の製造方法＞
本発明の道路標識柱１０は、第１構成例と同様の中心柱１２、基台部１４および補強部１３の各製造工程（１）〜（３）によって作製された部材を、以下の組立工程によって組み立てることにより、堅固に固定された内照式の道路標識柱１０を製造することができる。第１構成例および第２構成例と同様の場合は説明を省略する。
（４−１）道路に固定する場合には、基台部１４を道路に固定する。
（４−２）基台部１４の凹部１７に蓄電部材１８を収容する。
（４−３）基台部１４に中心柱１２を挿入する。
（４−４）中心柱１２に係止リブ２１を挿入する。
このとき、中心柱１２が多少テーパ状であり係止リブ２１もテーパを有していれば、係止リブ２１の挿入が容易であり、中心柱１２の下端部１２ａに係止する状態で固定される。このとき、基台部１４に中心柱１２がしっかりと固定される。
（４−５）補強部１３を中心柱１２に挿入する。
（４−６）図６に示すように、係止リブ２１を介して中心柱１２、補強部１３および基台部１４を挟持固定する。
以上によって、自発光式道路標識柱１０を確実に製造することができる。
【００４９】
また、本発明の道路標識柱１０が路面に固定された後に車両に乗り越えられるとき、補強部１３と中心柱１２は引っ張り応力を受けるが、係止リブ２１の作用により中心柱１２の脱落が効果的に防止される。
【実施例】
【００５０】
＜実施例１＞
（１）試験内容
上記図１および図５に記載された道路標識柱について、（２）視認性および（２）衝撃耐久性を確認項目として試験を行った。
【００５１】
（２）視認性の確認
（２−１）試験方法
道路標識柱を市街地、農道、一般道に設置し、車両に搭乗した複数のメンバーによる夜間の走行テスト（時速  ２０、４０、６０ｋｍ）を実施し、点灯状態および反射部材での反射機能の目視試験を行った。
（２−２）試験結果
内照式および外照式の道路標識柱について、いずれの走行条件においても点灯および反射の確認ができた。
【００５２】
（３）衝撃耐久性の確認
（３−１）試験方法
内照式の道路標識柱について実車衝撃試験（トラック２０ｔ  ８０ｋｍ／ｈ）を、外照式の道路標識柱について実車衝撃試験（普通車２ｔ  ２０ｋｍ／ｈ）行い、その後道路標識柱の点灯ができるか否かを確認した。
（３−２）試験結果
内照式および外照式の道路標識柱ともに、衝突後であっても点灯した。
【００５３】
（４）屈曲耐久試験の確認
（４−１）試験方法
内照式および外照式の道路標識柱について、図４に示すように実車が道路標識柱を乗り越える状態を５０００回繰り返し、その後の道路標識柱の起立状態および点灯ができるか否かを確認した。
（４−２）試験結果
内照式および外照式の道路標識柱ともに、試験前と差異なく起立し点灯した。
【００５４】
（５）屋外暴露試験
（５−１）試験方法
内照式および外照式の道路標識柱について、一般道路と同じ条件下で、屋外に起立状態で６０日間放置し、その後道路標識柱の内部での雨滴あるいは粉塵の混入の確認および点灯ができるか否かを確認した。
（５−２）試験結果
内照式および外照式の道路標識柱ともに、試験前と差異なく点灯した。また、試験後分解して内部をした結果、道路標識柱の内部での雨滴、粉塵の混入、金属酸化物の発生あるいはプリント基板の損傷も見られなかった。
【００５５】
（６）まとめ
以上のように、路面に設置使用した場合の、走行車両による衝撃や踏み付けあるいは屋外の暴露による損傷もなく、自発光式道路標識柱として要求される視認性や自己復元性などの機能を十分に有する内照式あるいは外照式の道路標識柱であることが確認された。
【図面の簡単な説明】
【００５６】
【図１】本発明の道路標識柱の好適な形態を示した部分断面図
【図２】図１のＸ−Ｘ断面を示した断面図
【図３】図１に例示の道路標識柱を道路に設置した状態を例示した断面図
【図４】車両に乗り越えられるときの道路標識柱の変形を示した断面図
【図５】第２構成例に係る道路標識柱の道路に固定した状態の部分断面図
【図６】第３構成例に係る道路標識柱の道路に固定した状態の部分断面図
【符号の説明】
【００５７】
１０  道路標識柱
１２  中心柱
１３  補強部
１４  基台部
１５  発光体（ＬＥＤ）
１６  太陽電池
１８  蓄電部材
２１  係止リブ
【図１】
0004646136.tif 000002
【図２】
0004646136.tif 000003
【図３】
0004646136.tif 000004
【図４】
0004646136.tif 000005
【図５】
0004646136.tif 000006
【図６】
0004646136.tif 000007